(57)【要約】      （修正有）【課題】消火器用盗難防止装置を消火器収納箱にボルトで取り付ける必要がなく、しかも既に設置済みの消火器収納箱に容易に取り付けることができるようにした消火器用盗難防止装置を提供する。【解決手段】基板３にゼンマイ機構と、このゼンマイ機構によって鳴動するベル５を設け、消火器収納箱２のドア２１が開かれたときにベル５が鳴動するように消火器収納箱２の内部に納める消火器の盗難防止用警報装置であり、基板３の両側に弾性取付け部材８と９を配し、盗難防止用警報装置を消火器収納箱２の対向する内面２２ａ，２９ａ間に弾性取付け部材８と９を用いて弾力的に取り付けることができるようにする。【選択図】図３
0003149286.tif 000002
【実用新案登録請求の範囲】
【請求項１】
基板（３）にゼンマイ機構（４）と、このゼンマイ機構（４）によって鳴動するベル（５）を設け、消火器収納箱（２）のドア（２１）が開かれたときに前記ベル（５）が鳴動するように消火器収納箱（２）の内部に納める消火器の盗難防止用警報装置（１）であり、
前記基板（３）の両側に弾性取付け部材（８）と（９）を配し、前記盗難防止用警報装置（１）を消火器収納箱（２）の対向する内面（２２ａ，２９ａ）間に前記弾性取付け部材（８）と（９）を用いて弾力的に取り付けることができるようにした消火器の盗難防止用警報装置。
【請求項２】
前記基板（３）は、前記ゼンマイ機構（４）とベル（５）が配設される平面四角形状の配設部（３ａ）と、その配設部（３ａ）の両側に沿って設けられる側板部（３ｂ，３ｂ）とからなり、その各側板部（３ｂ，３ｂ）の外面と前記消火器収納箱（２）の対向する内面（２２ａ，２９ａ）との間にそれぞれ弾性取付け部材（８）と（９）を圧縮状態で挟み込み、その弾性取付け部材（８）と（９）の弾性復元力によって前記基板（３）を消火器収納箱（２）の対向する内面（２２ａ，２９ａ）間に取り付けるようにした請求項１に記載の消火器の盗難防止用警報装置。
【請求項３】
前記基板（３）における両側板部（３ｂ，３ｂ）のうちの少なくとも一方に外側に突出する鍔部（３ｃ）を形成し、この一方の側板部（３ｂ）の側に配する一方の弾性取付け部材（８）に、前記鍔部（３ｃ）に嵌め込むことができる嵌込溝（２５）を形成し、その弾性取付け部材（８）の前記嵌込溝（２５）に前記鍔部（３ｃ）を嵌め込み、他方の側板部（３ｂ）の外面に他方の弾性取付け部材（９）を重ねた状態で、前記消火器収納箱（２）の側壁（１０）と前壁（２２）及びこの前壁（２２）の内側縁から内側に屈曲する扉取付け板（２３）とで囲まれた縦溝（２４）内に前記一方の弾性取付け部材（８）を嵌め込むことにより、前記基板（３）を消火器収納箱（２）の前壁（２２）と後壁（２９）の対向する内面（２２ａ，２９ａ）間に取付けるようにした請求項２に記載の消火器の盗難防止用警報装置。
【考案の詳細な説明】
【技術分野】
【０００１】
この考案は、消火器収納箱に収納されている消火器を盗もうとしたり、いたずらしようとして消火器収納箱のドアを開けたときに警報を発する消火器の盗難防止用警報装置に関する。
【背景技術】
【０００２】
一般的に消火器収納箱は、鍵が掛けられておらず、万一の火災の場合に直ちに消火器を取り出すことができるようになっている。そのため、消火器収納箱には、消火器を盗もうとしたり、いたずらしようとしてドアを開けたときに警報を発するようにした消火器の盗難防止用警報装置が設置されることがある。
【０００３】
このような消火器の盗難防止用警報装置として、例えば、円柱状のフレーム内に、渦巻状にゼンマイを巻回したゼンマイ機構と、そのゼンマイの弾性復元力によって警報を発するベルとを有し、消火器収納箱のドア内面や側壁内面に取り付けられるものが知られている（特許文献１  段落００１２  図５参照）。
【０００４】
この消火器の盗難防止用警報装置の消火器収納箱への取付けは、前記フレームに貫通した取付穴を形成するとともに、消火器収納箱にもフレームの取付孔と対応するように取付孔を形成して、これらの取付孔を向かい合わせた状態でボルトをねじ込んで固定している。
【先行技術文献】
【特許文献】
【０００５】
【特許文献１】特開平１０−０８３４８６号公報
【考案の概要】
【考案が解決しようとする課題】
【０００６】
しかし、上記消火器の盗難防止用警報装置は、取付孔を形成してボルトにより消火器収納箱に取り付けるので、その取付け作業に時間がかかるという問題がある。
また、既に設置済みの消火器収納箱に、フレームに設けた取付孔と対応するように精度よく取付孔を形成することは、既に設置済みの消火器収納箱への消火器の盗難防止用警報装置の取付けを困難にしていた。
【０００７】
この考案が解決しようとする課題は、消火器の盗難防止用警報装置を消火器収納箱にボルトで取り付ける必要がなく、しかも既に設置済みの消火器収納箱に消火器の盗難防止用警報装置を容易に取り付けることができるようにすることである。
【課題を解決するための手段】
【０００８】
上記課題を解決するために、この考案の消火器の盗難防止用警報装置は、基板にゼンマイ機構と、このゼンマイ機構によって鳴動するベルを設け、前記消火器収納箱のドアが開かれたときに前記ベルが鳴動するように消火器収納箱の内部に納め、前記基板の両側に弾性取付け部材を配し、前記盗難防止用警報装置を消火器収納箱の対向する内面間に前記弾性取付け部材を用いて弾力的に取り付けることができるようにしたのである。
【０００９】
このようにすると、消火器の盗難防止用警報装置を消火器収納箱の内部に納め、その基板の両側に弾性取付け部材を配するだけで、盗難防止用警報装置を消火器収納箱の対向する内面間に弾力的に取り付けることができるので、基板と消火器収納箱にそれぞれ取付穴を形成してねじ部材で取り付ける場合と比べて、その取付け作業に要する時間を短縮することができる。また、既に設置済みの消火器収納箱に取付孔を形成する必要がないので、既に設置済みの消火器収納箱にも消火器の盗難防止用警報装置を容易に取り付けることができる。
【００１０】
前記基板は、前記ゼンマイ機構とベルが配設される平面四角形状の配設部と、その配設部の両側に沿って設けられる側板部とからなり、その各側板部の外面と前記消火器収納箱の対向する内面との間にそれぞれ弾性取付け部材を圧縮状態で挟み込み、その弾性取付け部材の弾性復元力によって前記基板を消火器収納箱の対向する内面間に取り付けるようにすることができる。
【００１１】
前記基板における両側板部のうちの少なくとも一方に外側に突出する鍔部を形成し、この一方の側板部の側に配する一方の弾性取付け部材に、前記鍔部に嵌め込むことができる嵌込溝を形成し、その弾性取付け部材の前記嵌込溝に前記鍔部を嵌め込み、他方の側板部の外面に他方の弾性取付け部材を重ねた状態で、前記消火器収納箱の側壁と前壁及びこの前壁の内側縁から内側に屈曲する扉取付け板とで囲まれた縦溝内に前記一方の弾性取付け部材を嵌め込むことにより、前記基板を消火器収納箱の前壁と後壁の対向する内面間に取付けるようにすることができる。
【００１２】
このように、弾性取付け部材の縦溝内への嵌め込みを前記嵌込溝に前記鍔部を嵌め込んだ状態で行なうと、弾性取付け部材が側板部からずれにくいので、弾性取付け部材の圧縮状態での挟み込みを確実に行なうことができる。
【考案の効果】
【００１３】
この考案の消火器の盗難防止用警報装置は、基板の両側に弾性取付け部材を配するだけで、消火器収納箱の対向する内面間に取り付けることができるので、基板と消火器収納箱にそれぞれ取付穴を形成してボルトで取り付ける場合と比べて、その取付け作業に要する時間を短縮することができる。また、既に設置済みの消火器収納箱に取付孔を形成する必要がないので、既に設置済みの消火器収納箱にも消火器の盗難防止用警報装置を容易に取り付けることができる。
【図面の簡単な説明】
【００１４】
【図１】この考案の実施形態の消火器の盗難防止用警報装置が内部に設置された消火器収納箱の正面図
【図２】図１の消火器の盗難防止用警報装置を示す斜視図
【図３】図２の消火器の盗難防止用警報装置を消火器収納箱の対向する内面間に設置した状態を示す拡大断面図
【考案を実施するための形態】
【００１５】
以下、この考案の実施形態の消火器の盗難防止用警報装置を添付図面に基づいて説明する。図１は、消火器の盗難防止用警報装置１が内部に設置された消火器収納箱２の正面図である。
【００１６】
消火器の盗難防止用警報装置１は、図１、図２に示すように、金属製の基板３と、ゼンマイ機構４と、このゼンマイ機構４によって鳴動する２つのベル５，５と、ベル５，５を連続叩打するハンマー部材６と、ハンマー部材６を不作動状態に固定するスイッチ部材７と、基板３の両側に配されるゴム製の２種類の弾性取付け部材８，９とを有する。
【００１７】
基板３は、ゼンマイ機構４とベル５，５とハンマー部材６とスイッチ部材７とが内側に配設される平面四角形状の配設部３ａと、その配設部３ａの両側に沿って直角に折り曲げた側板部３ｂ，３ｂと、その両側板部３ｂ，３ｂの端に沿って直角に折り曲げて外側に突出させた鍔部３ｃ，３ｃとからなり、その両鍔部３ｃ，３ｃ間の寸法が消火器収納箱２の側壁１０の幅寸法よりも短くなっている。
【００１８】
ゼンマイ機構４は、帯状の鋼を渦巻き状に巻回したゼンマイからなり、そのゼンマイの巻回外端部が配設部３ａの上部に固定されている固定軸に固定され、ゼンマイの巻回内端部が配設部３ａの上部に設けられた歯車と一体に回転する回転軸に固定されている。回転軸は、配設部３ａの外側に貫通しており、その外側端部には円柱状のハンドル体１１が取り付けられている。これにより、ハンドル体１１を回転操作することによりゼンマイを縮径方向に巻き締めしてばね力を生じさせることができるようになっている。
【００１９】
２つのベル５，５は、金属製であって碗形状に形成され、配設部３ａの下部に間隔を空けてねじ部材１２で固定されている。
【００２０】
ハンマー部材６は、Ｌ字状に形成された竿部６ａと、先端に固着された円柱状の叩打頭部６ｂとを有し、その基端が配設部３ａの中央部に固定された軸に回動自在に支持された往復回動軸に固着されるとともに、叩打頭部６ｂが２つのベル５，５の間に対抗するように配置されて、往復回動軸の作動によってベル５，５を連続的に叩打することができるようになっている。往復回動軸には、二股状に突出して配設部３ａの中央部に設けられた歯車に交互に係脱する一対の爪が固着されており、歯車の回転によって往復回動するようになっている。
【００２１】
スイッチ部材７は棒状に形成されており、配設部３ａの中央部にＵ字状の切り込みを形成して内側に折り曲げた折曲片１３と側板部３ｂとを貫通してスライド自在に支持されている。また、スイッチ部材７は、図３の破線に示すように、側板部３ｂの外側に突出する方向にスライドしたときに側板部３ｂに当接してその突出範囲を規制する係止片１４が固着されており、その係止片１４と折曲片１３の間に組み込まれたコイルスプリング１５によって、側板部３ｂの外側に突出する方向に付勢されている。
【００２２】
スイッチ部材７の側板部３ｂの外側に突出する方向の端部には、円柱状の操作つまみ１６が取り付けられており、スイッチ部材７が側板部３ｂの内側に押込まれる方向にスライドしたときに、操作つまみ１６が側板部３ｂに当接してその押込み範囲が規制されるようになっている。
【００２３】
また、スイッチ部材７は、側板部３ｂの内側に押込まれる方向にスライドしたときに、その押込み方向の端部１８が往復回動軸に固着された竿部材１７に当接することにより、往復回動軸を固定してハンマー部材６を不作動状態にすることができる。スイッチ部材７の押込み方向の端部１８はハンマー状に大きく形成されて、竿部材１７に当接しやすくなっている。
【００２４】
また、スイッチ部材７は、係止片１４と操作つまみ１６の間に切り欠き１９が形成されており、その切り欠き１９を側板部３ｂの貫通孔２０に引っ掛けることにより、側板部３ｂの内側に押込まれた状態に保持され、これによりハンマー部材６を不作動状態に固定しておくことができる。
【００２５】
２種類の弾性取付け部材８，９のうちの一方の弾性取付け部材８は、図２に示すように、２面が略正方形に形成され、４面が長方形に形成された直方体であり、その長方形の面の短手方向の寸法が、図３に示すように、消火器収納箱２の側壁１０と前壁２２及びこの前壁２２の内側縁から内側に屈曲する扉取付け板２３とで囲まれた縦溝２４の幅寸法よりも若干短くなっている。そのため、一方の弾性取付け部材８を縦溝２４内に嵌め込むことができるようになっている。
【００２６】
一方の弾性取付け部材８の長方形の４面のうちの1面には、図２、図３に示すように、長手方向に延びる嵌込溝２５が形成され、その嵌込溝２５に鍔部３ｃを嵌め込むことができるようになっている。一方の弾性取付け部材８の嵌込溝２５を形成した長方形の面と反対側の長方形の面には、長手方向に延びるコ字状の切欠溝２６が１条形成され、略正方形の２面の切欠溝２６に近い側には、それぞれ、切欠溝２６と同じ方向に延びるコ字状の切欠溝２７，２７が２条形成されている。これにより、一方の弾性取付け部材８は、切欠溝２７，２７が形成された部分で肉厚が薄くなり柔軟性が大きくなっている。
【００２７】
他方の弾性取付け部材９は、一方の弾性取付け部材８よりも小さい直方体であり、その各面はいずれも長方形に形成されている。
【００２８】
このように構成された消火器の盗難防止用警報装置１は、次のようにして消火器収納箱２に取り付けることができる。
【００２９】
まず、スイッチ部材７に形成されている切り欠き１９を基板３の側板部３ｂの貫通孔２０に引っ掛けて、スイッチ部材７を基板３の内側に押込んだ状態で保持する。これにより、スイッチ部材７が竿部材１７に当接することにより、往復回動軸が固定されてハンマー部材６が不作動状態に固定され、この状態で、ハンドル体１１を回転操作することによりゼンマイを縮径方向に巻き締めしてばね力を生じさせる。
【００３０】
次に、図２の矢印のように、一方の鍔部３ｃの上部と下部に一方の弾性取付け部材８の嵌込溝２５をそれぞれ嵌め込んで、その弾性取付け部材８，８を一方の側板部３ｂの外面に当接させ、他方の側板部３ｂの外面に他方の弾性取付け部材９を重ねた状態で、図３に示すように、一方の弾性取付け部材８，８を消火器収納箱２の縦溝２４内に嵌め込むとともに、他方の側板部３ｂの外面と消火器収納箱２の後壁２９の内面２９ａの間に他方の弾性取付け部材９を圧縮状態で挟み込む。これにより、消火器の盗難防止用警報装置１は、弾性取付け部材８，９の弾性復元力によって基板３が消火器収納箱２の前壁２２と後壁２９の対向する内面２２ａ，２９ａ間に取り付けられる。
【００３１】
次に、スイッチ部材７の切り欠き１９の貫通孔２０への引っ掛けを解除して、消火器収納箱２のドア２１を閉じる。このとき、消火器収納箱２のドア２１の縁に沿って内側に形成されたＬ字状の折曲部２８によって、操作つまみ１６が内側に押されてスイッチ部材７が基板３の内側に押込まれた状態に保持されるので、ハンマー部材６が不作動状態に固定されて警報が停止した状態となる。このようにして、消火器の盗難防止用警報装置１は、消火器収納箱２のドア２１を開いたときにベル５，５が鳴動するように消火器収納箱２の内部に納められる。
【００３２】
次に、消火器収納箱２に収納されている消火器を盗もうとしたり、いたずらしようとして消火器収納箱２のドア２１を開けると、図３の破線に示すように、ドア２１の折曲部２８がスイッチ部材７から離れるので、スイッチ部材７が側板部３ｂの外側に突出する方向にスライドして、往復回動軸の固定が解除される。これにより、ゼンマイの弾性復元力が歯車を介してハンマー部材６に伝達されてベル５，５が鳴動する。
【００３３】
消火器の盗難防止用警報装置１は、側板部３ｂと消火器収納箱２の前壁２２の内面２２ａとの間と、側板部３ｂと消火器収納箱２の後壁２９の内面２９ａとの間に弾性取付け部材８，９を挟み込むだけで、基板３を消火器収納箱２の前壁２２と後壁２９の対向する内面２２ａ，２９ａ間に取り付けることができるので、基板３と消火器収納箱２にそれぞれ取付穴を形成してねじ部材で取り付ける場合と比べて、その取付け作業に要する時間を短縮することができる。また、既に設置済みの消火器収納箱２に取付孔を形成する必要がないので、既に設置済みの消火器収納箱２にも消火器の盗難防止用警報装置１を容易に取り付けることができ便利である。
【００３４】
上記実施形態では、基板３の側板部３ｂと消火器収納箱２の後壁２９の内面２９ａとの間に挟み込む弾性取付け部材９を１種類だけ用意したが、弾性取付け部材９として、互いに大きさの異なる弾性取付け部材を複数種類用意しておけば、側壁の幅寸法が異なる様々な消火器収納箱に取り付けたい場合であっても、その複数種類の弾性取付け部材９の中から、基板３の側板部３ｂと消火器収納箱の後壁２９の内面２９ａとの間に圧縮状態で挟み込むことができる大きさの弾性取付け部材９を１つピックアップするだけで、消火器収納箱の対抗する内面間に取り付けることが可能となり便利である。
【００３５】
また、上記実施形態では、扉取付け板２３が形成された消火器収納箱２に盗難防止用警報装置１を設置したが、扉取付け板２３がない消火器収納箱に盗難防止用警報装置１を設置することができる。扉取付け板２３がない消火器収納箱に盗難防止用警報装置１を設置する場合であっても、基板３の各側板部３ｂ，３ｂの外面と消火器収納箱２の対向する内面との間にそれぞれ弾性取付け部材８,９を圧縮状態で挟み込んで、その弾性取付け部材８，９の弾性復元力によって、基板３を消火器収納箱２の対向する内面間に取り付けることができる。
【００３６】
また、上記実施形態では、両方の側板部３ｂ，３ｂにそれぞれ鍔部３ｃ，３ｃを設けたが、鍔部３ｃは、側板部３ｂ，３ｂの片方に設けるだけでよい。
【符号の説明】
【００３７】
１        消火器の盗難防止用警報装置
２        消火器収納箱
３        基板
３ａ      配設部
３ｂ      側板部
３ｃ      鍔部
４        ゼンマイ機構
５        ベル
８        一方の弾性取付け部材
９        他方の弾性取付け部材
１０      側壁
２１      ドア
２２      前壁
２２ａ    前壁の内面
２３      扉取付け板
２４      縦溝
２５      嵌込溝
２９      後壁
２９ａ    後壁の内面
【図１】
0003149286.tif 000003
【図２】
0003149286.tif 000004
【図３】
0003149286.tif 000005